(57)【要約】【課題】装着性が良く、宝石の輝きが損なわれること無く、装飾性の有る低コストの装身具を提供することを目的とした。【解決手段】貴金属製チェーンを用いて、そのチェーン同士及びチェーンとパーツを接合して編み体等のデザインネックレス、ブレスを形成すると供に、テグス３を用いてそのテグス３の両端を熱にて膨突して宝石５を配する手段と、前記チェーン同士を適宜位置にて２列に接合して宝石６を取り囲み固定する手段と、中抜き孔を有するプレスパーツ７の中抜き孔に宝石６を配し、そのプレスパーツ７の略中央を折り曲げ、その折り曲げた部分にて宝石６を固定する手段と、パイプ材を用いて任意の寸法に切断し、そのパイプパーツ９の上下左右の面に対向する透かし穴１１を設け、パイプパーツ９の内径部から宝石６を前記透かし穴１１に配し、パイプパーツ９を押し潰して宝石６を固定する手段とを有することを特徴としている。【選択図】図１
2005198982.tif 000002
【特許請求の範囲】
【請求項１】
貴金属製チェーンを用いて、そのチェーン同士を接合して編み体のデザインネックレス、ブレスを形成し、適宜位置に宝石を配した装身具において、前記チェーンを２列に接合して輪を形成した中に貫通孔を有する宝石を配し、任意の寸法に切断したテグスを前記宝石とチェーン２列の隙間に通してそのテグスの両端を熱にて膨突して前記宝石を固定したことを特徴とした宝石を有する装身具。
【請求項２】
貴金属製チェーンを用いて、そのチェーン同士を接合して編み体のデザインネックレス、ブレスを形成し、適宜位置に宝石を配した装身具において、チェーン同士を適宜位置にて２列に接合しネックレスを形成すると共に、そのチェーンにて宝石６を取り囲み固定したことを特徴とした宝石を有する装身具。
【請求項３】
貴金属製チェーンを用いて、そのチェーン同士を接合して編み体のデザインネックレス、ブレスを形成し、適宜位置に宝石を配した装身具において、中抜き孔を有するプレスパーツの中抜き孔に宝石を配し、そのプレスパーツの略中央を折り曲げ、その折り曲げた部分にて前記宝石を固定し、チェーンに接合したことを特徴とした宝石を有する装身具。
【請求項４】
貴金属製チェーンを用いて、そのチェーンとパーツを接合してデザインネックレス、ブレスを形成し、適宜位置に宝石を配した装身具において、パイプ材を用いて、そのパイプ材の上下左右の面に対向する透かし穴を設け、任意の寸法に切断してパイプパーツを製作し、そのパイプパーツの内径部から宝石を前記透かし穴に配し、そのパイプパーツを押し潰して前記宝石を固定し、その宝石を固定したパイプパーツをチェーン同士接合したチェーンの適宜位置に中空の丸玉１２、１２ａ通した環１３、１３ａを介して接続したことを特徴とした宝石を有する装身具。
【請求項５】
貴金属チェーンとして、複数のボールを長さ方向にピンで連結したボールチェーンとしたことを特徴とした請求項１から４のいずれかに記載の宝石を有する装身具。
【発明の詳細な説明】
【技術分野】
【０００１】
本発明は、複数個の宝石を有するネックレス、ブレスレットの装身具に関するものである。
【背景技術】
【０００２】
チェーンを用いて宝石を有する装身具として、ボールチェーン同士を溶接にてネットの帯体を形成し、この帯体を数珠状の内容物の外周長さ方向に巻き回して、相互に接合する帯体縁のボールチェーン同士を更に溶接しネットの筒体状の装身具を形成、その筒体の中に数珠状の宝石を配した装身具が有る。  
【０００３】
しかし、内容物である宝石をワイヤーを挿通して数珠状にし、筒体の装身具に配しているために宝石の輝きが損なわれる欠点があった。
【０００４】
また、装身具の形状を筒体としているために、装身具の幅寸法が限られ、装飾性及び趣味性が損なわれる欠点があった。
【特許文献１】特開２００２−３６０３２０号公報
【発明の開示】
【発明が解決しようとする課題】
【０００５】
解決しようとする問題点は、装着性が良く、宝石の輝きが損なわれること無く、装飾性及び趣味性のある低コストにて宝石を固定する装身具を提供することを目的とした。
【課題を解決するための手段】
【０００６】
本発明の宝石を有する装身具を構成させる第１の手段は、貴金属製チェーンを用いて、そのチェーン同士を接合してデザインネックレス、ブレスを形成すると共に、前記チェーンを２列に接合して輪を形成した中に貫通孔を有する宝石を配し、その宝石に任意の寸法に切断したテグスを宝石とチェーン２列の隙間に通してそのテグスの両端を熱にて膨突して宝石を配したことを特徴とした装身具である。
【０００７】
また、第２の手段は、貴金属製チェーンを用いて、そのチェーン同士を接合して編み体のデザインネックレス、ブレスを形成すると共に、前記チェーンを適宜位置にて２列に接合し、そのチェーンにて宝石を取り囲み固定したことを特徴とする装身具である。
【０００８】
また、第３の手段は、貴金属製チェーンを用いて、そのチェーン同士を接合して編み体のデザインネックレス、ブレスを形成すると共に、中抜き孔を有するプレスパーツの中抜き孔に宝石を配し、そのプレスパーツの略中央を折り曲げ、その折り曲げた部分にて宝石を固定し、チェーンに接合したことを特徴とする装身具である。
【０００９】
また、第４の手段は、貴金属製チェーンを用いて、そのチェーンとパーツを接合してデザインネックレス、ブレスを形成すると共に、パイプ材を用いてそのパイプ材の上下左右の面にカット等にて対向する透かし穴を設け、任意の寸法に切断してパイプパーツを製作し、そのパイプパーツの内径部から宝石を前記透かし穴に配し、パイプパーツを押し潰して宝石を固定し、その宝石を固定したパイプパーツをチェーン同士接合したチェーンの適宜位置に中空の丸玉１２、１２ａ通した環１３、１３ａを介して接続したことを特徴とする装身具である。
【発明の効果】
【００１０】
上記により、本発明の宝石を有する装身具は、チェーン同士を接合して編み体のデザインネックレス、ブレスを形成して宝石を配し、デザイン性の有るネックレス等を形成することにより、体にぴったりした装着性の良い、変化に富んだ装飾性の有る低コストの装身具の提供が可能となった。
【発明を実施するための最良の形態】
【００１１】
チェーン同士及びチェーンとパーツを接合して編み体等のデザインネックレス、ブレスを形成して、幾つかの手段を用いて宝石を配し、デザイン性の有る宝石を有する装身具を製作した。
【実施例１】
【００１２】
図１、図４、図８、図１１は、本発明の宝石を有する装身具の一実施例を示す要部の拡大正面図であって、図２、図５、図９、図１２は、前記拡大正面図に対する側面図であり、また、図３、図６、図１０、図１３は前記で示した図のネックレスの全体図である。
【００１３】
図１〜３は、請求項１に係わる発明を示し、図１にて実施過程を説明する。ボールチェーン２列１０ｃをネックレス、ブレスを製作するための希望する長さに切断すると共に、ボールチェーン２列１０にて貫通孔を有する宝石５を３箇所に配するための長さにボールチェーン２列を切断し、それにてＳ字甲を描くように両端を適宜位置にて接合して輪を形成して囲み、（１０ａは起点であり、１０ｂを終点とした）ボールチェーン２列の接合隙間孔１６より貫通孔を有する宝石、ボールチェーン２列１０の接合隙間孔１６の順で任意の長さに切断したテグスを貫通させ、そのテグスの両端を熱にてボールチェーン２列の接合隙間孔１６の径より大きく膨突させて、ボールチェーン２列の接合隙間孔１６よりテグスが抜け出ないようにすることにより貫通孔を有する宝石５を固定したものを２箇所作り、残りの一箇所は貫通孔を有する丸玉４を用いて、任意の長さに切断したテグスをボールチェーン２列の接合隙間孔１６より貫通孔を有する宝石、ボールチェーン２列の接合隙間孔１６、丸玉４、前記ボールチェーン２列１０ｃのボールチェーン２列の接合隙間孔１６の順で貫通させ、そのテグス両端を熱にてボールチェーン２列の接合隙間孔１６の径より大きく膨突させて貫通孔を有する宝石５を固定すると共に、テグス３にてボールチェーン２列１０ｃと仮の接合となる。
【００１４】
前記の貫通孔を有する宝石５を３箇所配したものと、前記ボールチェーン２列１０ｃと
が接する適宜箇所を接合することにより一部編み体が形成され、前記行程これを繰り返して接合することにより宝石を有する編み体のデザインネックレス、ブレスの鎖が得られ、その両端に接続環２２を介して金具２０と、金具受け２１を接続することで宝石を有する装身具の構成が可能となった。
【００１５】
図４〜６は、請求項２に係わる発明を示し、図４にて実施過程を説明する。ボールチェーン１ｅをネックレス、ブレスを製作するための希望する長さに切断すると共に、ボールチェーン１にて宝石６を２箇所に配するためのボールチェーン１を２本、同寸に切断して上下に重ねて用い、それぞれのボールチェーン両端を１ｃ、１ｄとして（１ｃは起点であり、１ｄを終点とした）、最初に１ｃ同士にてボールチェーン１ｅのピン２を挟み込み接続、Ｓ字甲を描くように輪を形成して接合部１５にて接合する方法を計４回行い、最後に１ｄ同士にてボールチェーン１ｅのピン２を挟み込み接続することでボールチェーン１ｅを基として甲を描いた輪が片側に１箇所、反対側に２箇所、形成させることができる。
【００１６】
前記ボールチェーン１を２本上下重ねてＳ字甲を描き形成した２箇所の輪は、接合部１５の一部のみの接合であるため、双方のボールチェーン１の間から宝石６を配し、図５に示すように適宜位置にて接合し接合部１５を設けることにより宝石の固定が可能となる。
【００１７】
前記により一部編み体が形成され、前記行程をこれを繰り返して接合することにより宝石６を有する編み体のデザインネックレス、ブレスの鎖が得られ、一端に挟み込み板２３と接続環２２を介して金具２０と、金具受け２１を接続することで宝石を有する装身具の構成が可能となった。
【００１８】
図７〜１０は、請求項３に係わる発明を示し、図７、図８にて実施過程を説明する。
図７（Ａ）に示すは、抜き孔を有するプレスパーツ７の平面図であって、図７（Ｂ）は、抜き孔を有するプレスパーツ７を空間を空けて二つ折りに折り曲げ、その空間に宝石６を配して固定し、宝石６の両側にカット入りボールチェーン８、８ａを通したことを示す平面図であり、図７（Ｃ）は、底面図を示す。
【００１９】
図８は、カット入りボールチェーン８と、８ａと、ボールチェーン１ｇと、１ｈの計４本のチェーンと、宝石６を固定した抜き孔を有するプレスパーツ７を用いたものであり、ネックレス、ブレスを製作するための希望する長さに切断すると共に、前記宝石を固定した抜き孔を有するプレスパーツ７の折り曲げ先端側にボールチェーン８ａを差し込んで適宜位置に配して接合した後、ボールチェーン８をボールチェーン８ａとクロスさせて前記宝石を固定した抜き孔を有するプレスパーツ７の折り曲げ根元側に挿通して適宜位置に配して、前記クロス部分同士を接合し、ボールチェーン１ｇを宝石を固定した抜き孔を有するプレスパーツ７を配した間に、カット入りボールチェーン８と、８ａそれぞれにクロスさせて接する適宜位置にて接合した後、更にボールチェーン１ｈを宝石を固定した抜き孔を有するプレスパーツ７を配した間に、カット入りボールチェーン８と、８ａと、１ｇとそれぞれにクロスさせて接する適宜位置にて接合することにより、宝石６を有する編み体のデザインネックレス、ブレスの鎖が得られ、一端に挟み込み板２３と接続環２２を介して金具２０と、金具受け２１を接続することで宝石を有する装身具の構成が可能となった。
【００２０】
図１１〜１３は、請求項４に係わる発明を示し、図１１にて実施過程を説明する。最初にパイプ材を用いてそのパイプ材の上下左右の面にカット等にて対向する透かし穴１１を設け、任意の寸法に切断してパイプパーツ９を製作し、そのパイプパーツ９の内径部から宝石６を前記透かし穴１１に配し、パイプパーツ９を押し潰して宝石６を固定したパイプパーツ９を製作した。
【００２１】
そして、ボールチェーン２列１０をネックレス、ブレスを製作するための希望する長さに切断すると共に、前記宝石６を固定したパイプパーツ９をボールチェーン２列１０の適宜位置に中空の丸玉１２、１２ａ通した環１３、１３ａを介して接続する行程を繰り返し行うことにより宝石６を有するデザインネックレス、ブレスの鎖が得られ、一端に挟み込み板２３と接続環２２を介して金具２０と、金具受け２１を接続することで宝石を有する装身具の構成が可能となった。
【００２２】
本発明に用いた実施例のチェーン、プレスパーツ、パイプパーツは限定されるものでは無く、抜き孔を有するプレスパーツ７、パイプパーツ９の表面にカット等にて模様を施す、また、チェーンと、プレスパーツと、パイプパーツと、宝石の色を変えて用いることにより、更に装飾効果が得られ、プレスパーツと、パイプパーツの変わりにロストワックス製法により前記パーツに換わるパーツを用いて宝石を固定し、チェーンに接合することにより、趣味性に富んだ装身具が得られる。
【図面の簡単な説明】
【００２３】
【図１】請求項１に係わる一実施例を示す要部の拡大正面図である。
【図２】図１の側面図である。
【図３】請求項１に係わる一実施例を示す全体図である。
【図４】請求項２に係わる一実施例を示す要部の拡大正面図である。
【図５】図４の側面図である。
【図６】請求項２に係わる一実施例を示す全体図である。
【図７】請求項３に係わる宝石の固定の実施例を示す概念図である。
【図８】請求項３に係わる一実施例を示す要部の拡大正面図である。
【図９】図８の側面図である。
【図１０】請求項３に係わる一実施例を示す全体図である。
【図１１】請求項４に係わる一実施例を示す要部の拡大正面図である。
【図１２】図１２の側面図である。
【図１３】請求項４に係わる一実施例を示す全体図である。
【図１４】本発明の一実施例として用いたボールチェーンとその２列の正面図である。
【符号の説明】
【００２４】
１    ボールチェーン
１ａ  ボール
１ｂ  ボールチェーン２ヶ玉
１ｃ  ボールチェーン
１ｄ  ボールチェーン
１ｅ  ボールチェーン
１ｆ  ボールチェーン
１ｇ  ボールチェーン
１ｈ  ボールチェーン
２    ピン
３    テグス
４    丸玉
５    貫通孔を有する宝石
６    宝石
７    抜き孔を有するプレスパーツ
８    カット入りボールチェーン
８ａ  カット入りボールチェーン
９    パイプパーツ
１０    ボールチェーン２列
１０ａ  ボールチェーン２列
１０ｂ  ボールチェーン２列
１０ｃ  ボールチェーン２列
１１    透かし穴
１２    四つ穴の中空丸玉
１２ａ  中空の丸玉
１３    環
１３ａ  環
１４    孔
１５    接合部
１６    ボールチェーン２列の接合隙間孔
２０    金具
２１    金具受け
２２    接続環
２３    挟み込み板
【図１】
2005198982.tif 000003
【図２】
2005198982.tif 000004
【図３】
2005198982.tif 000005
【図４】
2005198982.tif 000006
【図５】
2005198982.tif 000007
【図６】
2005198982.tif 000008
【図７】
2005198982.tif 000009
【図８】
2005198982.tif 000010
【図９】
2005198982.tif 000011
【図１０】
2005198982.tif 000012
【図１１】
2005198982.tif 000013
【図１２】
2005198982.tif 000014
【図１３】
2005198982.tif 000015
【図１４】
2005198982.tif 000016